(57)【要約】【課題】低価額でありながら、衣服が型崩れしたり皺が寄ったりすることがなく、また衣服の身頃や袖が密着しないようにするとともに、消費者自身がＰＥＴボトルなどのボトルを有効に利用することができるようにした衣服用ハンガーを提供する。【解決手段】吊下げフック１０の下端部に連結部１６が取り付けられ、該連結部１６にボトル１の注ぎ口１ａを結合する一対のソケット１８が反対方向かつ斜め下方向に設けられている。該ソケット１８には、ボトル１の注ぎ口１ａに形成された雄ネジと螺合する雌ネジ１８ａが形成されている。【選択図】　図１
2004049730.tif 000002
【特許請求の範囲】
【請求項１】
吊下げフックの下端部に連結部が取り付けられ、該連結部にボトルの注ぎ口を結合する一対のソケットが反対方向かつ水平方向ないし斜め下方向に設けられていることを特徴とする衣服用ハンガー。
【請求項２】
前記ソケットは、ボトルの注ぎ口に形成された雄ネジと螺合する雌ネジを形成したものであることを特徴とする請求項１に記載の衣服用ハンガー。
【請求項３】
前記吊下げフックと連結部とは、ピンによって回動自在に取り付けられていることを特徴とする請求項１または２に記載の衣服用ハンガー。
【発明の詳細な説明】
【０００１】
【発明の属する技術分野】
本発明は、衣服を吊下げる衣服用ハンガーに関し、詳しくは、ＰＥＴボトルなどのボトルを肩掛け部として使用する衣服用ハンガーに関する。
【０００２】
【従来の技術】
簡易な衣服用ハンガーとして１本のワイヤーを三角形に成形することにより、一対の肩掛け部を山形に設け、頂部に逆Ｊ字形の吊下げフックを設けたものが普及している。このような簡易な衣服用ハンガーは、肩掛け部がワイヤーで構成されていることから、衣服が型崩れし、皺が寄り、また、衣服の身頃や袖が密着することから、洗濯物を干するときに、乾燥しにくいという問題がある。
【０００３】
そこで、棒状部材を三角形状に成形した一対のハンガー部が架橋部によって連結され、収納時は一対のハンガー部を接合し、使用時は一対のハンガー部を離隔するようにした物干しハンガーが特開２００１−１６２０９３公報に開示されている。
【０００４】
【発明が解決しようとする課題】
特開２００１−１６２０９３に開示された物干しハンガーは、一対のハンガー部が離隔することにより、肩掛け部に厚みが生じ、衣服が型崩れしたり皺が寄ったりすることがなく、また衣服の身頃や袖が密着しないようにすることができる。しかし、この物干しハンガーは架橋部の構造が複雑であり、また組立て作業が面倒であるから、簡易な衣服用ハンガーとしては高価額となる。
【０００５】
また、近時、環境保護の重要性が認識されていることから、ＰＥＴボトルが回収され、再利用する手段が各種提案されている。しかし、消費者自身がＰＥＴボトルを再利用する提案は少なく、ＰＥＴボトルが不当に廃棄されることがある。
【０００６】
そこで本発明は、低価額でありながら、衣服が型崩れしたり皺が寄ったりすることがなく、また衣服の身頃や袖が密着しないようにするとともに、消費者自身がＰＥＴボトルなどのボトルを有効に利用することができるようにした衣服用ハンガーを提供することを課題とする。
【０００７】
【課題を解決するための手段】
本発明に係る衣服用ハンガーは、吊下げフックの下端部に連結部が取り付けられ、該連結部にボトルの注ぎ口を結合する一対のソケットが反対方向かつ水平方向ないし斜め下方向に設けられていることを特徴としている。
【０００８】
この衣服用ハンガーによれば、ソケットにＰＥＴボトルなどのボトルの注ぎ口が結合されることにより、飲料水などを貯留しているボトルの胴部が衣服用ハンガーの肩掛け部を構成する。連結部に設けられたソケットは、反対方向かつ水平方向ないし斜め下方向とされていることから、ボトルの胴部も反対方向かつ水平方向ないし斜め下方向となる。しかも、ボトルの胴部は注ぎ口よりも拡径しており、厚さがあることから、ボトルの胴部に吊り下げられた衣服は、型崩れすることがなく、また皺が寄ることがなく、さらに身頃や袖が密着しないようにすることができる。
【０００９】
前記ソケットは、ボトルの注ぎ口に形成された雄ネジと螺合する雌ネジを形成したものであることが好ましい。この衣服用ハンガーによれば、ボトルの注ぎ口に形成された雄ネジがソケットに形成された雌ネジに螺合することにより、ボトルは確実にソケットに固定され、ソケットから抜け落ちないようにすることができる。
【００１０】
前記吊下げフックと連結部とは、ピンによって回動自在に取り付けられていてもよい。この衣服用ハンガーによれば、吊下げフックと連結部とがピンによって回動自在に取り付けられることにより、吊下げフックが洋服ダンスのバーや物干し竿など（以下、「竿」という。）に掛けられた状態で、連結部に結合されたボトルも自在に回動し、ボトルの胴部に吊り下げられた衣服は、任意の方向を向くことができる。
【００１１】
【発明の実施の形態】
本発明に係る衣服用ハンガーの第１の実施形態について図１を参照しながら説明する。この第１の実施形態の衣服用ハンガーは、吊下げフック１０の下端部に連結部１６が取り付けられ、該連結部１６にボトル１の注ぎ口１ａを結合する一対のソケット１８が反対方向かつ斜め下方向に設けられていることを特徴としている。
【００１２】
ボトル１は、ＰＥＴボトルのように飲料水を貯留する有底筒状の胴部１ｂと、この胴部１ｂに連続して縮径され、外周に雄ネジ（図示せず）が形成された注ぎ口１ａと、この雄ネジに螺合する雌ネジを形成したキャップ（図示せず）とから構成されている。本衣服用ハンガーにおいては、ボトル１は飲料水を飲み干し、キャップを廃棄して使用する。
【００１３】
そして、本衣服用ハンガーを構成している連結部１６は、下向きに開口した有底筒状のセンター部１６ａと、このセンター部１６ａの両側に反対方向かつ斜め下方向に突出したサイド部１６ｂとから構成されている。この一対のサイド部１６ｂは、スーツの上着を吊り下げるなどの用途に応じて、このように正反対の方向に突出する以外に、平面視で鈍角となるような彎曲した形状に突出してもよく、さらに斜め下方向に突出する以外に、水平方向に一直線状に突出してもよい。
【００１４】
また、連結部１６のサイド部１６ｂには、ボトル１の注ぎ口１ａを結合するためのソケット１８が一体に設けられている。このソケット１８の内周には、ボトル１の注ぎ口１ａに形成された雄ネジと螺合する雌ネジ１８ａが形成されている。
【００１５】
そして、連結部１６のセンター部１６ａはピン１５によって吊下げフック１０に連結されている。吊下げフック１０は、特定するものではないが、例えば鋏形とする。鋏形の吊下げフック１０は、固定レバー１１と可動レバー１２とが連結ピン１３によって一体化され、両先端部が同一方向に突出したコイルバネ１４によって、各レバー１１，１２の先端部１１ａ，１２ａが通常、当接するようにした構成となっている。
【００１６】
固定レバー１１の基端部１１ｂは、ピン１５によって連結部１６のセンター部１６ａに回動可能に連結されている。また、固定レバー１１と可動レバー１２の中間部には、連結ピン１３が貫通する軸穴が設けられ、この軸穴とコイルバネ１４の中心部とが同軸に配置され、そして軸穴とコイルバネ１４とを連結ピン１３が貫通することにより、固定レバー１１と可動レバー１２とコイルバネ１４とが連結されている。
【００１７】
可動レバー１２は、ほぼく字形に形成され、可動レバー１２の基端部１２ｂと固定レバー１１の基端部１１ｂにコイルバネ１４の先端部が当接し、コイルバネ１４のバネ力によって可動レバー１２の基端部１２ｂが固定レバー１１の基端部１１ｂから離隔するように付勢され、可動レバー１２の先端部１２ａが固定レバー１１の先端部１１ａに当接するようにされている。
【００１８】
そして、使用者が可動レバー１２の基端部１２ｂと固定レバー１１の基端部１１ｂとを握り締めると、仮想線に示すように、可動レバー１２の基端部１２ｂがバネ力に抗して固定レバー１１の基端部１１ｂの方へ近接し、可動レバー１２の先端部１２ａが固定レバー１１の先端部１１ａから離隔する。可動レバー１２の基端部１２ｂと固定レバー１１の基端部１１ｂの各外側には、使用者が握りやすいようにするための凹凸状の滑り止めが形成されている。
【００１９】
他方、可動レバー１２の先端側と固定レバー１１の先端側の各内側は、竿（図示せず）を挟む凹部１２ｃ，１１ｃが設けられ、この凹部１２ｃ，１１ｃには疣疣状の滑り止めが形成されている。このような凹部１２ｃ，１１ｃが設けられることにより、可動レバー１２と固定レバー１１は、各先端部１２ａ，１１ａと軸穴寄りの中間部１２ｄ，１１ｄとの２ヵ所で当接する。そして、可動レバー１２の先端部１２ａには固定レバー１１の方へ突出した突起１２ｅが設けられ、固定レバー１１の先端部１１ａにはこの突起１２ｅと嵌合する係止孔１１ｅが形成され、可動レバー１２の先端部１２ａが固定レバー１１の先端部１１ａに当接した状態において、可動レバー１２の先端部１２ａが固定レバー１１の先端部１１ａからずれないようにされている。
【００２０】
本衣服用ハンガーは以上のように構成され、次に使用方法について説明する。使用者は、２本のボトル１のキャップを外し、各ボトル１の注ぎ口１ａに形成された雄ネジをソケット１８に形成された雌ネジ１８ａに螺合し、２本のボトル１の胴部１ｂを肩掛け部として使用する。吊り下げる衣服のサイズに応じて、長さや径のサイズが異なる様々な種類のボトル１から任意に選択した大きさのボトル１をソケット１８に結合することができる。
【００２１】
また、ボトル１内に飲料水が残っていても、ボトル１の注ぎ口１ａを連結部１６のソケット１８に結合することにより、肩掛け部を構成することはできるものの、飲料水の重量によってソケット１８などが破損することがあり得る。したがって、ボトル１内の飲料水は飲み干し、軽量化したうえで、ボトル１の注ぎ口１ａを連結部１６のソケット１８に結合することが好ましい。
【００２２】
そして、使用者は吊下げフック１０の可動レバー１２の基端部１２ｂと固定レバー１１の基端部１１ｂとを握り締め、可動レバー１２の先端部１２ａが固定レバー１１の先端部１１ａから離隔した状態で、凹部１２ｃ，１１ｃ間に竿を挟む。その後、使用者が可動レバー１２の基端部１２ｂと固定レバー１１基端部１１ｂとから手を放すと、コイルバネ１４のバネ力によって可動レバー１２の基端部１２ｂが固定レバー１１の基端部１１ｂから離隔する方向に付勢され、可動レバー１２の先端部１２ａが固定レバー１１の先端部１１ａに当接し、吊下げフック１０が竿に掛けられる。なお、吊下げフック１０が竿に掛けられた状態で、連結部１６のソケット１８にボトル１の注ぎ口１ａを結合してもよい。
【００２３】
いずれにしても、竿に掛けられた吊下げフック１０には連結部１６が取り付けられ、この連結部１６に設けられたソケット１８にボトル１の注ぎ口１ａが結合され、ボトル１の胴部１ｂが肩掛け部を構成していることにより、使用者は、このボトル１の胴部１ｂに衣服を吊り下げる。ボトル１が、例えば５００ミリリットルのＰＥＴボトルであると、大人用の衣服を好適に吊り下げることができ、また３５０ミリリットルのＰＥＴボトルであると、子供用の衣服を好適に吊り下げることができる。いずれにしてもボトル１の胴部１ｂは厚みがあることから、ボトル１の胴部１ｂに吊り下げられた衣服は、型崩れすることがなく、また皺が寄ることがなく、さらに身頃や袖が密着することがない。
【００２４】
また、連結部１６のセンター部１６ａと吊下げフック１０の固定レバー１１とがピン１５によって連結されているため、連結部１６は水平面に沿って回動可能で、ボトル１に掛けられた衣服は任意の方向を向くことができる。したがって、この衣服用ハンガーによって洗濯物を干しているときは、洗濯物は風に流され、早く乾燥する。
【００２５】
なお、第１の実施形態の衣服用ハンガーにおいて、吊下げフック１０は鋏形に代え、ワイヤーを逆Ｊ字形に成形したものを使用することができる。
【００２６】
次に、本発明に係る衣服用ハンガーの第２の実施形態について図２を参照しながら説明する。この第２の実施形態の衣服用ハンガーは、鋏形の吊下げフック２０の下端部に連結部２６が設けられ、各連結部２６にボトル１の注ぎ口１ａを結合するソケット２８が設けられていることを特徴としている。
【００２７】
鋏形の吊下げフック２０は、竿（図示せず）を挟む一対の半円形の係止部２１と、一対の係止部２１の下端でピン２２によって連結されるヒンジ部２３と、ヒンジ部２３を支点にして各係止部２１の先端部２４が当接するように付勢するバネ（図示せず）とから構成されている。
【００２８】
そして、前記吊下げフック２０のヒンジ部２３には一対の連結部２６が反対方向かつ下向き方向に一体または別体で取り付けられている。この一対の連結部２６も正反対の方向に突出する以外に、スーツの上着を吊り下げるなどの用途に応じて、平面視で鈍角となるような彎曲した形状としてもよく、さらに斜め下方向に突出する以外に、水平方向に一直線状に突出してもよい。
【００２９】
そして、この各連結部２６の先端部には、ボトル１の注ぎ口１ａを結合するソケット２８が一体または別体で設けられている。このソケット２８は、有底筒形状であり、筒状部の内面に、ボトル１の注ぎ口１ａに形成された雄ネジと螺合する雌ネジ２８ａが形成されている。吊下げフック２０と連結部２６とソケット２８とが樹脂などによって一体に成形されると、組立て作業が簡略化され、本衣服用ハンガーのコストダウンを図ることができる。
【００３０】
そして、このソケット２８の雌ネジ２８ａにボトル１の雄ネジを螺合し、２本のボトル１の胴部１ｂを肩掛け部として使用する。一対の半円形の係止部２１を備えた吊下げフック２０を竿に掛け、ボトル１の胴部１ｂに衣服を吊り下げて使用するなどの使用方法は、第１の実施形態と同様であるため、使用方法についての説明は省略する。
【００３１】
次に、本発明に係る衣服用ハンガーの第３の実施形態について図３を参照しながら説明する。この第３の実施形態の衣服用ハンガーは、吊下げフック３０が逆Ｊ字形に形成され、この吊下げフック３０の下端部に棒状部材をアーチ状に成形した連結部３６が取り付けられ、この連結部３６の先端部にボトル１の注ぎ口１ａを結合するソケット３８が設けられていることを特徴としている。この連結部３６も正反対の方向に突出する以外に、スーツの上着を吊り下げるなどの用途に応じて、平面視で鈍角となるような彎曲した形状としてもよく、さらに斜め下方向に突出する以外に、水平方向に一直線状に突出してもよい。
【００３２】
アーチ状の連結部３６には、変形しにくいようにするためのステー３６ａが取り付けられている。また、ソケット３８は第２の実施形態と同様、有底筒形状であり、筒状部の内面に、ボトル１の注ぎ口１ａに形成された雄ネジと螺合する雌ネジ３８ａが形成されている。このソケット３８の雌ネジ３８ａにボトル１の雄ネジを螺合することにより、２本のボトル１の胴部１ｂを肩掛け部として使用する。また、吊下げフック３０と連結部３６とソケット３８とが樹脂などによって一体に成形されると、組立て作業が簡略化され、本衣服用ハンガーのコストダウンを図ることができる。
【００３３】
そして、逆Ｊ字形の吊下げフック３０を竿（図示せず）に掛け、ボトル１の胴部１ｂに衣服を吊り下げて使用するなど、使用方法は第１および第２の実施形態と同様であるため、使用方法についての説明は省略する。
【００３４】
なお本発明は、前記第１から第３の実施形態に記載の衣服用ハンガーに限定することなく、特許請求の範囲に記載した技術的事項の範囲内において種々変更することができる。
【００３５】
例えば、連結部とソケットとはラチェット機構によって連結し、ソケットに結合されたボトルの胴部が斜め下方向に向く角度を自在に変更することができるようにしてもよい。また、ソケットはボトルの注ぎ口を確実に固定することができれば、必ずしも雌ネジを形成する必要はなく、またソケットがボトルの注ぎ口内に挿入するようにしてもよい。
【００３６】
さらに、ボトルはＰＥＴボトルのような狭義のボトルに限定するものではなく、縮径された注ぎ口を有する缶など各種の容器も使用することができることはいうまでもない。
【００３７】
【発明の効果】
本発明によれば、吊下げフックの下端部に取り付けられた連結部に一対のソケットが設けられ、このソケットにボトルの注ぎ口を結合し、ボトルを衣服用ハンガーの肩掛け部として使用することにより、ＰＥＴボトルなどの廃棄物を有効に利用することができるようになる。また、ボトルの胴部が肩掛け部を構成するため、ボトルに掛けられた衣服は、型崩れすることなく、皺が寄らないようにすることができ、さらに、身頃や袖が密着しないような衣服用ハンガーを低価額で提供することができる。
【図面の簡単な説明】
【図１】本発明に係る衣服用ハンガーの第１の実施形態を示す正面図
【図２】本発明に係る衣服用ハンガーの第２の実施形態を示す斜視図
【図３】本発明に係る衣服用ハンガーの第３の実施形態を示す斜視図
【符号の説明】
１……ボトル
１ａ…注ぎ口
１０……吊下げフック
１６……連結部
１８……ソケット
１８ａ…雌ネジ
２０……吊下げフック
２６……連結部
２８……ソケット
２８ａ…雌ネジ
３０……吊下げフック
３６……連結部
３８……ソケット
３８ａ…雌ネジ
【図１】
2004049730.tif 000003
【図２】
2004049730.tif 000004
【図３】
2004049730.tif 000005